(57)【要約】【課題】クロストーク現像及びくし形パターンを、生じない発光素子を提供する。【解決手段】発光素子は、データラインＤ1〜Ｄ6、スキャンラインＳ1〜Ｓ4、複数のピクセルＥ11〜Ｅ64及び放電部308を含む。データラインＤ1〜Ｄ6は、第１方向に配列され、スキャンラインＳ1〜Ｓ4は、上記第１方向と異なる第２方向に配列される。ピクセルＥ11〜Ｅ64は、データラインＤ1〜Ｄ6とスキャンラインＳ1〜Ｓ4とが、交差する領域に形成される。放電部308は、放電時間中の第１サブ放電時間の間、データライン中の第１データライン及び第２データラインを第１放電レベル及び第２放電レベルにそれぞれ放電し、上記放電時間中の第２サブ放電時間の間、第１データラインと第２データラインを接続する。ここで、上記第２放電レベルは上記第１放電レベルと異なる大きさである。【選択図】  図３ａ
2007298936.tif 000002
【特許請求の範囲】
【請求項１】
第１方向に配列されたデータライン、
上記第１方向と異なる第２方向に配列されたスキャンライン、
上記データラインと上記スキャンラインとが、交差する領域に形成される複数のピクセル、及び
放電時間中の第１サブ放電時間の間、上記データライン中の第１データライン及び第２データラインを第１放電電圧及び第２放電電圧にそれぞれ放電し、上記放電時間中の第２サブ放電時間の間、上記第１データラインと上記第２データラインとを接続する放電部を含み、
上記第２放電電圧は、上記第１放電電圧と異なる大きさであることを特徴とする発光素子。
【請求項２】
上記第１データライン及び上記第２データラインは、それぞれ該当ピクセルのカソード電圧に対応する放電電圧まで放電されることを特徴とする請求項１に記載の発光素子。
【請求項３】
上記放電部は、
上記第１データラインに、上記第１放電電圧に対応する第１電圧を供給する第１サブ放電部、及び
上記第２データラインに、上記第２放電電圧に対応する第２電圧を供給する第２サブ放電部を含むことを特徴とする請求項１に記載の発光素子。
【請求項４】
上記サブ放電部中の少なくとも一つは、
出力端が該当データラインに接続されるＯＰアンプ、及び
上記ＯＰアンプの入力端に接続されるデジタル−アナログ変換器（ＤＡＣ）を含むことを特徴とする請求項３に記載の発光素子。
【請求項５】
上記放電部は、上記第１サブ放電時間の間、上記データライン中の一部を上記第１放電電圧まで放電し、他のデータラインを上記第２放電電圧まで放電し、上記第２サブ放電時間の間、上記データラインを接続することを特徴とする請求項１に記載の発光素子。
【請求項６】
上記放電部は、
上記第１サブ放電時間の間、上記一部データラインを互いに接続し、上記他のデータラインを互いに接続する放電レベル部、
上記一部データラインに、上記第１放電電圧に対応する第１電圧を供給する第１サブ放電部、及び
上記他のデータラインに、上記第２放電電圧に対応する第２電圧を供給する第２サブ放電部を含み、
上記データライン間の抵抗は、上記第１サブ放電時間の間、第１抵抗値を有し、上記第２サブ放電時間の間、第２抵抗値を有することを特徴とする請求項５に記載の発光素子。
【請求項７】
上記第２抵抗値は、上記第１抵抗値より大きいことを特徴とする請求項６に記載の発光素子。
【請求項８】
上記第２抵抗値中の一部は、他の第２抵抗値と異なる大きさを有することを特徴とする請求項６に記載の発光素子。
【請求項９】
上記サブ放電部中の少なくとも一つは、
出力端が該当データラインに接続されるＯＰアンプ、及び
上記ＯＰアンプの入力端に接続されるデジタル−アナログ変換器（ＤＡＣ）を含むことを特徴とする請求項６に記載の発光素子。
【請求項１０】
上記放電部は、
上記第１データラインと上記第２データラインを、所定放電電圧まで放電する第１サブ放電部、
上記第１データラインに、上記第１放電電圧に対応する第１電圧を供給する第２サブ放電部、及び
上記第２データラインに、上記第２放電電圧に対応する第２電圧を供給する第３サブ放電部を含むことを特徴とする請求項１に記載の発光素子。
【請求項１１】
上記第１サブ放電部は、上記第１及び２データラインに接続されるツェナーダイオードを含み、
上記第２及び３サブ放電部中の少なくとも一つは、出力端が該当データラインに接続されるＯＰアンプ、及び
上記ＯＰアンプの入力端に接続されるデジタル−アナログ変換器（ＤＡＣ）を含むことを特徴とする請求項１０に記載の発光素子。
【請求項１２】
上記発光素子は、
上記スキャンラインに、スキャン信号を伝送するスキャン駆動部、及び
上記データラインに、データ信号を伝送するデータ駆動部を、さらに含むことを特徴とする請求項１に記載の発光素子。
【請求項１３】
上記発光素子は、
上記スキャンライン中の一部に、第１スキャン信号を伝送する第１スキャン駆動部、
他のスキャンラインに、第２スキャン信号を伝送する第２スキャン駆動部、及び
上記データラインにデータ信号を伝送するデータ駆動部を、さらに含むことを特徴とする請求項１に記載の発光素子。
【請求項１４】
第１方向に配列されたデータライン、
上記第１方向と異なる第２方向に配列されたスキャンライン、
上記データラインと上記スキャンラインとが、交差する領域に形成される複数のピクセル、及び
放電時間中の第１サブ放電時間の間、上記データライン中の一部を第１放電電圧まで放電し、他のデータラインを第２放電電圧まで放電し、上記放電時間中の第２サブ放電時間の間、上記データラインを接続する放電部を含み、
上記第２放電電圧は、上記第１放電電圧と異なり、上記データラインは互いに接続されることによって、該当ピクセルのカソード電圧に対応する放電電圧まで放電されることを特徴とする電界発光素子。
【請求項１５】
上記放電部は、
上記データラインを所定放電電圧まで放電する第１サブ放電部、
上記一部データラインに、上記第１放電電圧に対応する第１電圧を供給する第２サブ放電部、及び
上記他のデータラインに、上記第２放電電圧に対応する第２電圧を供給する第３サブ放電部を含むことを特徴とする請求項１４に記載の電界発光素子。
【請求項１６】
データラインとスキャンラインとが、交差する発光領域に形成される複数のピクセルを含む発光素子を駆動する方法において、
放電時間中の第１サブ放電時間の間、上記データライン中の第１データラインを第１放電電圧まで放電し、第２データラインを第２放電電圧まで放電する段階、及び
上記放電時間中の第２サブ放電時間の間、上記第１データラインと上記第２データラインを接続する段階を含み、
上記第２放電電圧は、上記第１放電電圧と異なることを特徴とする発光素子駆動方法。
【請求項１７】
上記発光素子駆動方法は、
上記第１データライン及び上記第２データラインを、所定放電電圧まで放電する段階を、さらに含むことを特徴とする請求項１６に記載の発光素子駆動方法。
【請求項１８】
上記放電する段階は、
上記第１データラインに、上記第１放電電圧に対応する第１電圧を供給する段階、
及び
上記第２データラインに、上記第２放電電圧に対応する第２電圧を供給する段階を含むことを特徴とする請求項１６に記載の発光素子駆動方法。
【請求項１９】
上記第１電圧を供給する段階は、
第１外部電圧によって第１レベル電圧を出力する段階、及び
上記出力された第１レベル電圧によって、上記第１データラインに上記第１電圧を供給する段階を含み、
上記第２電圧を供給する段階は、
第２外部電圧によって第２レベル電圧を出力する段階、及び
上記出力された第２レベル電圧によって、上記第２データラインに上記第２電圧を供給する段階を含むことを特徴とする請求項１８に記載の発光素子駆動方法。
【請求項２０】
上記発光素子駆動方法は、
上記スキャンラインに、スキャン信号を供給する段階、及び
上記データラインに、上記スキャン信号に同期するデータ電流を供給する段階を、さらに含むことを特徴とする請求項１６に記載の発光素子駆動方法。
【発明の詳細な説明】
【技術分野】
【０００１】
本発明は発光素子及びその駆動方法に関する。さらに詳しくは、クロストーク現像（Cross-talk Phenomenon）及びくし状パターンが生じない発光素子及びその駆動方法に関するものである。
【背景技術】
【０００２】
発光素子は所定電流または電圧が供給されるとき、所定波長を有する光を発し、特に、有機電界発光素子は、自己発光素子である。
図１は、従来の発光素子を示したブロック図である。
図１を参照すれば、従来の発光素子は、パネル１００、制御部１０２、第１スキャン駆動部１０４、第２スキャン駆動部１０６、放電部１０８、プリチャージ部１１０及びデータ駆動部１１２を含む。例えば、発光素子は、有機電界発光素子である。
【０００３】
パネル１００は、データラインＤ１〜Ｄ６とスキャンラインＳ１〜Ｓ４が交差する、発光領域に形成される複数のピクセルＥ１１〜Ｅ６４を含む。
制御部１０２は、外部装置から表示データを受信し、上記受信された表示データを利用して、スキャン駆動部１０４、１０６、放電部１０８、プリチャージ部１１０及びデータ駆動部１１２の動作を制御する。
【０００４】
第１スキャン駆動部１０４は、スキャンラインＳ１〜Ｓ４中の一部（例えば、Ｓ１、Ｓ３）に第１スキャン信号を伝送する。第２スキャン駆動部１０６は、他のスキャンラインＳ２、Ｓ４に第２スキャン信号を伝送する。その結果、スキャンラインＳ１〜Ｓ４が順次に接地に接続される。
【０００５】
放電部１０８は、スイッチＳＷ１〜ＳＷ６を介してデータラインＤ１〜Ｄ６に接続される。放電動作を説明すると、放電部１０８は、放電時、スイッチＳＷ１〜ＳＷ６をターン−オンし、それでデータラインＤ１〜Ｄ６が、ツェナーダイオード（ＺＤ）に接続される。その結果、データラインＤ１〜Ｄ６が、ツェナーダイオードのツェナー電圧まで放電される。
【０００６】
プリチャージ部１１０は、制御部１０２の制御によって上記表示データに対応するプリチャージ電流を、上記放電されたデータラインＤ１〜Ｄ６に供給する。
データ駆動部１１２は、制御部１０２の制御によって上記表示データに対応するデータ電流を、上記プリチャージされたデータラインＤ１〜Ｄ６に供給する。その結果、ピクセルＥ１１〜Ｅ６４が発光する。
【０００７】
図２（ａ）及び図２（ｂ）は、図１の発光素子を概略的に示した回路図であり、図２（ｃ）及び図２（ｄ）は、上記発光素子の駆動過程を示したタイミングダイヤグラムである。
以下、カソード電圧ＶＣ１１〜ＶＣ６４を説明した後、上記発光素子の駆動過程を詳述する。
第１スキャンラインＳ１に相応するピクセルＥ１１〜Ｅ６１のカソード電圧ＶＣ１１〜ＶＣ６１の大きさを比較する。
【０００８】
図２（ａ）で示されるように、第１１ピクセルＥ１１と上記接地との間の抵抗は、スキャン抵抗Ｒｓで、第２１ピクセルＥ２１と上記接地との間の抵抗は、Ｒｓ＋Ｒｐである。また、第３１ピクセルＥ３１と上記接地との間の抵抗は、Ｒｓ＋２Ｒｐで、第４１ピクセルＥ４１と上記接地との間の抵抗は、Ｒｓ＋３Ｒｐである。さらに、第５１ピクセルＥ５１と上記接地との間の抵抗は、Ｒｓ＋４Ｒｐで、第６１ピクセルＥ６１と上記接地との間の抵抗は、Ｒｓ＋５Ｒｐである。
【０００９】
ここで、ピクセルＥ１１〜Ｅ６１を同じ輝度で発光させるために、同じ大きさのデータ電流Ｉ１１〜Ｉ６１が、データラインＤ１〜Ｄ６に供給されると仮定する。この場合、データ電流Ｉ１１〜Ｉ６１が、該当ピクセルＥ１１〜Ｅ６１及び第１スキャンラインＳ１を通過した後、接地に流れる。従って、ピクセルＥ１１〜Ｅ６１のカソード電圧ＶＣ１１〜ＶＣ６１は、データ電流Ｉ１１〜Ｉ６１の大きさが同一なので、該当する抵抗、即ち、ピクセルＥ１１〜Ｅ６１と上記接地との間の抵抗に比例する大きさを有する。従って、第６１カソード電圧ＶＣ６１、第５１カソード電圧ＶＣ５１、第４１カソード電圧ＶＣ４１、第３１カソード電圧ＶＣ３１、第２１カソード電圧ＶＣ２１及び第１１カソード電圧ＶＣ１１の順に、その大きさが大きい。
【００１０】
図２（ｂ）を参照すれば、第１２ピクセルＥ１２と上記接地と間の抵抗はＲｓ＋５Ｒｐで、第１１ピクセルＥ１１と上記接地と間の抵抗より大きい。ここで、第１スキャンラインＳ１が接地に接続される時の、第１データラインＤ１に流れるデータ電流Ｉ１１と、第２スキャンラインＳ２が接地に接続される時の、第１データラインＤ１に流れるデータ電流Ｉ１２の大きさが、同一と仮定する。この場合、ピクセルＥ１１、Ｅ１２のカソード電圧ＶＣ１１、ＶＣ１２が該当抵抗に比例する大きさを有するので、第１２カソード電圧ＶＣ１２が、第１１カソード電圧ＶＣ１１より大きい。
【００１１】
以下、上記発光素子を駆動する過程を詳述する。
スイッチＳＷ１〜ＳＷ６がターン−オンされ、スキャンラインＳ１〜Ｓ４が上記発光素子の駆動電圧、例えば、データ電流の最大輝度に対応する電圧と同じ大きさの電圧Ｖ２を有する非発光源に接続される。従って、ピクセルＥ１１〜Ｅ６４は発光せず、データラインＤ１〜Ｄ６は、第１放電時間ｄｃｈａ１の間、ツェナーダイオードのツェナー電圧まで同一に放電される。
【００１２】
次いで、スイッチＳＷ１〜ＳＷ６がターン−オフされた後、第１表示データに対応するプリチャージ電流が、図２（ｃ）及び図２（ｄ）に示されるように、第１プリチャージ時間ｐｃｈａ１の間、データラインＤ１〜Ｄ６に供給される。
続いて、第１スキャンラインＳ１が、図２（ａ）で示されるように接地に接続され、他のスキャンラインＳ２〜Ｓ４が、上記非発光源に接続される。
次いで、第１表示データに対応するデータ電流Ｉ１１〜Ｉ６１が、図２（ｃ）及び（ｄ）で示されるように、第１発光時間ｔ１の間、データラインＤ１〜Ｄ６に供給される。その結果、ピクセルＥ１１〜Ｅ６１が、第１発光時間ｔ１の間、発光する。
【００１３】
以下、第６１ピクセルＥ６１と第１１ピクセルＥ１１が、同じ輝度で発光するように設定されていると仮定する。即ち、第１データラインＤ１と第６データラインＤ６に、同じ大きさのデータ電流Ｉ１１、Ｉ６１が、第１発光時間ｔ１の間、供給される。
まず、放電時データラインＤ１、Ｄ６が、図２（ｄ）で示されるように、第１放電時間ｄｃｈａ１の間、同じ大きさの放電電圧まで放電され、それで、データラインＤ１、Ｄ６が第１プリチャージ時間ｐｃｈａ１の間、同じレベル、即ち、所定プリチャージ電圧までプリチャージされる。
【００１４】
次いで、同じ大きさのデータ電流Ｉ１１、Ｉ６１が、第１データラインＤ１と第６データラインＤ６に、それぞれ供給される。この場合、ピクセルＥ１１〜Ｅ６１が同じ輝度で発光するようにプリセットされているので、ピクセルＥ１１、Ｅ６１のアノード電圧ＶＡ１１、ＶＡ６１は、上記プリチャージ電圧から、該当カソード電圧ＶＣ１１、ＶＣ６１より所定レベル差を有する電圧まで上昇した後、安定化（飽和）される。なぜならば、ピクセルが、そのアノード電圧とそのカソード電圧との差に対応する輝度で、発光するからである。例えば、ピクセルＥ１１のカソード電圧ＶＣ１１が１Ｖで、ピクセルＥ６１のカソード電圧ＶＣ６１が２Ｖであれば、ピクセルＥ１１のアノード電圧ＶＡ１１が、６Ｖで安定化されるとき、ピクセルＥ６１のアノード電圧ＶＡ６１は、７Ｖで安定化される。
【００１５】
この場合、データラインＤ１、Ｄ６が同じレベル、例えば、３Ｖでプリチャージされているので、ピクセルＥ１１のアノード電圧ＶＡ１１は、３Ｖから６Ｖまで上昇した後、安定化されるが、ピクセルＥ６１のアノード電圧ＶＡ６１は、３Ｖから７Ｖまで上昇した後、安定化される。従って、ピクセルＥ６１のアノード電圧ＶＡ６１が安定化されるまで消耗される電荷量は図２（ｄ）で示されるように、ピクセルＥ１１のアノード電圧ＶＡ１１が、安定化されるまで（飽和するまで）、消耗される電荷量より大きくなる。従って、ピクセルＥ１１、Ｅ６１が同じ輝度で発光するようにプリセットされたにもかかわらず、ピクセルＥ６１がピクセルＥ１１より暗く発光する。
【００１６】
以下、上記発光素子の駆動過程を説明する。  
スキャンラインＳ１〜Ｓ４が上記非発光源に接続され、スイッチＳＷ１〜ＳＷ６がターン−オンされる。その結果、データラインＤ１〜Ｄ６が図２（ｃ）で示されるように、第２放電時間ｄｃｈａ２の間所定放電レベルまで放電される。
【００１７】
次いで、スイッチＳＷ１〜ＳＷ６がターン−オフした後、第２表示データに該当するプリチャージ電流が、データラインＤ１〜Ｄ６に供給される。ここで、上記第２表示データは、上記第１表示データが制御部１０２に入力された後、入力されるデータである。
続いて、第２スキャンラインＳ２が、上記接地に接続され、他のスキャンラインＳ１、Ｓ３、Ｓ４は、上記非発光源に接続される。
【００１８】
次いで、上記第２表示データに該当するデータ電流Ｉ１２〜Ｉ６２が、データラインＤ１〜Ｄ６に供給され、それで、ピクセルＥ１２〜Ｅ６２が、第２発光時間ｔ２の間、発光する。
【００１９】
以下、ピクセルＥ１１とピクセルＥ１２が、同じ輝度で発光するようにプリセットされていると仮定する。
この場合、ピクセルＥ１２と接地との間の抵抗が、ピクセルＥ１１と接地との間の抵抗より大きいため、ピクセルＥ１２のカソード電圧ＶＣ１２が、ピクセルＥ１１のカソード電圧ＶＣ１１より大きく、それで、ピクセルＥ１２のアノード電圧ＶＡ１２が安定化されるまで消耗される電荷量は、ピクセルＥ１１のアノード電圧ＶＡ１１が安定化されるまで消耗される電荷量より大きい。従って、ピクセルＥ１２がピクセルＥ１１より暗く発光する。
このように、同じ輝度で発光するように設定されたピクセルが互いに異なる輝度で発光する現像をクロストーク現像（Cross-talk Phenomenon）という。
【００２０】
以下、第１スキャンラインＳ１に対応するピクセルＥ１１〜Ｅ６１と、第２スキャンラインＳ２に対応するピクセルＥ１２〜Ｅ６２の、発光輝度を比較する。
第１スキャンラインＳ１に対応するピクセルＥ１１〜Ｅ６１中のピクセルＥ１１が、上述するように、ピクセルＥ１１〜Ｅ６１中で最も明るく発光し、ピクセルＥ６１が最も暗く発光する。また、第２スキャンラインＳ２に対応するピクセルＥ１２〜Ｅ６２中のピクセルＥ１２は、ピクセルＥ１２〜Ｅ６２中で最も暗く発光し、ピクセルＥ６２が最も明るく発光する。
【発明の開示】
【発明が解決しようとする課題】
【００２１】
従って、第１データラインＤ１に関連するピクセルＥ１１、Ｅ１２の輝度差と、第２データラインＤ６に関連するピクセルＥ６１、Ｅ６２の輝度差は、他のピクセルＥ２１〜Ｅ５２の輝度差より、さらに大きい。その結果、ピクセルＥ１１、Ｅ１２間と、ピクセルＥ６１、Ｅ６２間に、縞模様が生じた。このように、互いに異なる方向に配列されたスキャンライン間に発生する縞模様をくし形パターン（くし形）という。
本発明の目的は、クロストーク現像及び櫛形が生じない発光素子及びその駆動方法を供給することにある。
【課題を解決するための手段】
【００２２】
上記の目的を達成するための、本発明の好ましい一実施形態に係る発光素子は、データライン、スキャンライン、複数のピクセル及び放電部（放電回路）を含む。上記データラインは、第１方向に配列され、上記スキャンラインは、上記第１方向と異なる第２方向に配列される。上記ピクセルは、上記データラインと上記スキャンラインとが、交差する領域に形成される。上記放電部は、放電時間中の第１サブ放電時間の間、上記データライン中の第１データライン及び第２データラインを、第１放電レベル及び第２放電レベルにそれぞれ放電し、上記放電時間中の第２サブ放電時間の間、上記第１データラインと上記第２データラインを接続する。ここで、上記第２放電レベルは、上記第１放電レベルと異なる大きさである。
【００２３】
本発明の好ましい一実施形態に係る有機電界発光素子は、データライン、スキャンライン、複数のピクセル及び放電部（放電回路）を含む。上記データラインは、第１方向に配列され、上記スキャンラインは、上記第１方向と異なる第２方向に配列される。上記ピクセルは、上記データラインと上記スキャンラインとが、交差する領域に形成される。上記放電部は、放電時間中の第１サブ放電時間の間、上記データライン中の一部を上記第１放電レベルに放電し、他のデータラインを上記第２放電レベルに放電し、上記放電時間中の第２サブ放電時間の間、上記データラインを接続する。ここで、上記第２放電レベルは、上記第１放電レベルと異なり、上記データラインは互いに接続されることによって、該当ピクセルのカソード電圧に対応する放電レベルまで放電される。
【００２４】
本発明の好ましい一実施形態に係る、データラインとスキャンラインとが交差する発光領域に形成される複数のピクセルを含む発光素子を駆動する方法は、放電時間中の第１サブ放電時間の間、上記データライン中の第１データラインを第１放電レベル（電圧）に放電し、第２データラインを第２放電レベル（電圧）に放電する段階、及び上記放電時間中の第２サブ放電時間の間、上記第１データラインと上記第２データラインを接続する段階を含む。ここで、上記第２放電レベル（電圧）は、上記第１放電レベル（電圧）と異なる。
【発明の効果】
【００２５】
本発明に係る発光素子及びその駆動方法は、データラインを該当ピクセルのカソード電圧に対応する放電レベルまで放電するので、クロストーク現像及びくし形パターンが、上記発光素子に生じない長所がある。
【発明を実施するための最良の形態】
【００２６】
以下、添付図面を参照して、本発明の好ましい実施形態を詳細に説明する。
図３（ａ）は本発明の好ましい第１の実施形態に係る発光素子を示したブロック図、図３（ｂ）は、図３（ａ）の放電部の動作に係る放電レベルのグラフを示した図である。
【００２７】
図３（ａ）に示すように、本発明の発光素子は、パネル３００、制御部３０２、第１スキャン駆動部３０４、第２スキャン駆動部３０６、放電部３０８、プリチャージ部３１０及びデータ駆動部３１２を含む。
本発明の好ましい一実施形態に係る発光素子は、有機電界発光素子（Organic Electroluminescent Device）、ＰＤＰ（Plasma Display Panel）、ＬＣＤ（Liquid Crystal Display）などを含む。但し、以下では、説明の便宜のために、上記有機電界発光素子を例えて説明する。
【００２８】
パネル３００は、データラインＤ１〜Ｄ６とスキャンラインＳ１〜Ｓ４とが交差する発光領域に形成される複数のピクセルＥ１１〜Ｅ６４を含む。
各ピクセルＥ１１〜Ｅ６４は、基板上に順に形成されるアノード電極層、有機物層及びカソード電極層を含む。
制御部３０２は、外部装置（図示されていない）から表示データ、例えば、ＲＧＢデータを受信し、上記受信された表示データを利用してスキャン駆動部３０４、３０６、放電部３０８、プリチャージ部３１０及びデータ駆動部３１２の動作を制御する。また、制御部３０２は、上記受信された表示データを、その内部メモリーに蓄積できる。
【００２９】
第１スキャン駆動部３０４は、スキャンラインＳ１〜Ｓ４中の一部（例えば、Ｓ１、Ｓ３）に、第１スキャン信号を伝送する。第２スキャン駆動部３０６は、他のスキャンラインＳ２、Ｓ４に、第２スキャン信号を伝送する。その結果、スキャンラインＳ１〜Ｓ４が、順次に発光源、例えば、接地に接続される。
放電部３０８は、データラインＤ１〜Ｄ６を該当ピクセルのカソード電圧に対応する放電レベルまで放電する素子であり、第１サブ放電部３２０、第２サブ放電部３２２及び放電レベル部３２４を含む。
【００３０】
放電レベル部３２４は、複数のスイッチＳＷ１〜ＳＷ１３を含む。
第１サブ放電部３２０は、放電時間中の第１サブ放電時間の間、データラインＤ１〜Ｄ６中の一部（例えば、Ｄ１〜Ｄ３）に第１電圧を供給し、図３（ｂ）で示されるように、データラインＤ１〜Ｄ３を第１放電レベルまで放電する。ここで、上記第１サブ放電時間の間、スイッチＳＷ１、ＳＷ３、ＳＷ５、ＳＷ７、ＳＷ９、ＳＷ１１は、ターン−オンされ、他のスイッチＳＷ２、ＳＷ４、ＳＷ６、ＳＷ８、ＳＷ１０、ＳＷ１２、ＳＷ１３は、ターン−オフされる。また、データラインＤ１〜Ｄ３は、図３（ａ）で示されるように、互いに接続され、データラインＤ１〜Ｄ３間の抵抗ＲＤ１は、それぞれ第１抵抗値を有する。
【００３１】
第２サブ放電部３２２は、上記第１サブ放電時間の間、他のデータラインＤ４〜Ｄ６に第２電圧を供給し、データラインＤ４〜Ｄ６を図３（ｂ）で示されるように、第２放電レベルまで放電する。ここで、データラインＤ４〜Ｄ６は、図３（ａ）で示されるように互いに接続され、データラインＤ４〜Ｄ６間の抵抗ＲＤ１は、それぞれ第１抵抗値を有する。
【００３２】
次いで、上記放電時間中の第２サブ放電時間の間、スイッチＳＷ１、ＳＷ３、ＳＷ５、ＳＷ７、ＳＷ９、ＳＷ１１は、ターン−オフされ、他のスイッチＳＷ２、ＳＷ４、ＳＷ６、ＳＷ８、ＳＷ１０、ＳＷ１２、ＳＷ１３が、ターン−オンされる。その結果、データラインＤ１〜Ｄ６が互いに接続され、それで、データラインＤ１〜Ｄ６は、図３（ｂ）で示されるように、一定の勾配（直線でなく曲線であってもよい）を有した放電電圧まで放電される。即ち、データラインＤ１〜Ｄ６は、以下の説明のように、該当ピクセルのカソード電圧に対応する放電電圧まで放電される。ここで、データラインＤ１〜Ｄ６が、図３（ａ）で示されるように互いに接続され、データラインＤ１〜Ｄ６間の抵抗ＲＤ２は、それぞれ第２抵抗値を有する。但し、この場合には、サブ放電部３２０、３２２は、決して電流を出力しない。
【００３３】
以上では、上記第２放電レベルが図３（ｂ）で示されるように、上記第１放電レベルより大きかったが、スキャンラインが形成される方向によって、上記第１放電レベルが上記第２放電レベルより大きくてもよい。これに対する詳細な説明は以下の添付図面を参照して詳述する。
【００３４】
本発明の一実施形態に係る発光素子では、抵抗ＲＤ１は同じ大きさの第１抵抗値を有し、抵抗ＲＤ２は同じ大きさの第２抵抗値を有する。但し、上記第２抵抗値は、上記第１抵抗値より大きい。
【００３５】
本発明の他の実施形態に係る発光素子では、抵抗ＲＤ１は同じ大きさの第１抵抗値を有し、抵抗ＲＤ２中の一部は、他の抵抗と他の大きさの第２抵抗値を有する。但し、この場合にも、上記第２抵抗値は、上記第１抵抗値より大きい。
【００３６】
プリチャージ部３１０は、制御部３０２の制御下で、上記表示データに対応するプリチャージ電流を、上記放電されたデータラインＤ１〜Ｄ６に供給する。
データ駆動部３１２は、制御部３０２の制御下で、上記表示データに対応して上記スキャン信号に同期されたデータ信号、即ち、データ電流を、上記プリチャージされたデータラインＤ１〜Ｄ６に供給する。その結果、ピクセルＥ１１〜Ｅ６４が発光する。
【００３７】
以下、本発明の発光素子駆動過程を説明する。
第１スキャンラインＳ１が接地に接続され、他のスキャンラインＳ２〜Ｓ４は上記発光素子の駆動電圧、例えば、データ電流の最大輝度に対応する電圧と、同じ大きさの電圧Ｖ２を有する非発光源に接続される。
その後、第１表示データに対応する第１データ電流が、データラインＤ１〜Ｄ６に供給される。この場合、データラインＤ１〜Ｄ６に供給された第１データ電流は、データラインＤ１〜Ｄ６に対応するピクセルＥ１１〜Ｅ６１及び第１スキャンラインＳ１を通って、上記接地に流れる。その結果、第１スキャンラインＳ１に対応するピクセルＥ１１〜Ｅ６１が発光する。
【００３８】
次いで、データラインＤ１〜Ｄ６は、第２放電時間の間、ピクセルＥ１２〜Ｅ６２のカソード電圧に対応する放電電圧まで放電される。
続いて、データラインＤ１〜Ｄ６が、上記第１表示データ入力後に、制御部３０２に入力される第２表示データに対応するプリチャージ電圧までプリチャージされる。
その後、第２スキャンラインＳ２が接地に接続され、他のスキャンラインＳ１、Ｓ３、Ｓ４は、上記非発光源に接続される。
【００３９】
次いで、上記第２表示データに対応する第２データ電流が、データラインＤ１〜Ｄ６に供給される。その結果、第２スキャンラインＳ２に該当するピクセルＥ１２〜Ｅ６２が発光する。
上記発光過程を第４スキャンラインＳ４まで繰り返し、その後、第１スキャンラインＳ１から第４スキャンラインＳ４、即ち、フレーム単位で上記発光過程を繰り返す。
【００４０】
図４（ａ）及び図４（ｂ）は、図３（ａ）の発光素子を概略的に示した回路図で、図４（ｃ）及び図４（ｄ）は、上記発光素子の駆動過程を示したタイミングダイヤグラムである。
図４（ａ）に示すように、第１サブ放電部３２０は、スイッチＳＷ１４、第１デジタル−アナログ変換器３３０（第１ＤＡＣ）及び第１ＯＰアンプ３３２を含む。
第２サブ放電部３２２は、スイッチＳＷ１５、第２ＤＡＣ３３４及び第２ＯＰアンプ３３６を含む。
【００４１】
以下、第１スキャンラインＳ１に関連するピクセルＥ１１〜Ｅ６１のカソード電圧ＶＣ１１〜ＶＣ６１の大きさを比較後、上記発光素子の駆動過程を詳述する。
図４（ａ）で示されるように、第１１ピクセルＥ１１と上記接地との間の抵抗は、スキャン抵抗Ｒｓで、第２１ピクセルＥ２１と上記接地との間の抵抗は、Ｒｓ＋Ｒｐである。また、第３１ピクセルＥ３１と上記接地との間の抵抗は、Ｒｓ＋２Ｒｐで、第４１ピクセルＥ４１と上記接地との間の抵抗は、Ｒｓ＋３Ｒｐである。さらに、第５１ピクセルＥ５１と上記接地との間の抵抗は、Ｒｓ＋４Ｒｐで、第６１ピクセルＥ６１と上記接地との間の抵抗はＲｓ＋５Ｒｐである。
【００４２】
ここで、ピクセルＥ１１〜Ｅ６１を同じ輝度で発光させるために、同じ大きさのデータ電流Ｉ１１〜Ｉ６１が、データラインＤ１〜Ｄ６に供給されると仮定する。この場合、データ電流Ｉ１１〜Ｉ６１が、該当ピクセルＥ１１〜Ｅ６１及び第１スキャンラインＳ１を通過した後、接地に流れる。従って、ピクセルＥ１１〜Ｅ６１のカソード電圧ＶＣ１１〜ＶＣ６１は、データ電流Ｉ１１〜Ｉ６１の大きさが同一なので、該当抵抗、即ち、ピクセルＥ１１〜Ｅ６１と上記接地との間の抵抗に比例する大きさを有する。従って、第６１カソード電圧ＶＣ６１、第５１カソード電圧ＶＣ５１、第４１カソード電圧ＶＣ４１、第３１カソード電圧ＶＣ３１、第２１カソード電圧ＶＣ２１及び第１１カソード電圧ＶＣ１１順に、その大きさが大きい。
【００４３】
図４（ｂ）を参照すれば、第１２ピクセルＥ１２と上記接地との間の抵抗は、Ｒｓ＋５Ｒｐで、第１１ピクセルＥ１１と上記接地との間の抵抗より大きい。ここで、第１スキャンラインＳ１が接地に接続されるときの、第１データラインＤ１に流れるデータ電流と、第２スキャンラインＳ２が接地に接続されるときの、第１データラインＤ１に流れるデータ電流との大きさが、同一と仮定する。この場合、ピクセルＥ１１、Ｅ１２のカソード電圧ＶＣ１１、ＶＣ１２が、該当抵抗に比例する大きさを有するので、第１２カソード電圧ＶＣ１２が、第１１カソード電圧ＶＣ１１より大きい。
【００４４】
以下、上記発光素子の駆動過程を説明する。
放電部３０８は、データラインＤ１〜Ｄ６を放電する。
以下、データラインＤ１〜Ｄ６を放電する過程を詳細に説明する。
放電時間中の第１サブ放電時間の間、スイッチＳＷ１、ＳＷ３、ＳＷ５、ＳＷ７、ＳＷ９、ＳＷ１１、ＳＷ１４、ＳＷ１５がターン-オン、他のスイッチＳＷ２、ＳＷ４、ＳＷ６、ＳＷ８、ＳＷ１０、ＳＷ１２、ＳＷ１３は、ターン−オフされる。また、スキャンラインＳ１〜Ｓ４が、Ｖ２電圧を有する非発光源に接続される。
【００４５】
次いで、第１ＤＡＣ３３０は、外部から入力される第１外部電圧Ｖ３によって第１レベル電圧を出力し、上記出力された第１レベル電圧は、第１ＯＰアンプ３３２に入力される。また、第２ＤＡＣ３３４は、外部から入力される第２外部電圧Ｖ４によって第２レベル電圧を出力し、上記出力された第２レベル電圧は、第２ＯＰアンプ３３６に入力される。
【００４６】
続いて、第１ＯＰアンプ３３２は上記入力された第１レベル電圧によって所定電圧を出力し、それにより、データラインＤ１〜Ｄ３が、第１放電レベルまで放電される。また、第２ＯＰアンプ３３６は、上記入力された第２レベル電圧によって所定電圧を出力し、それにより、データラインＤ４〜Ｄ６が、第２放電レベルまで放電される。ここで、上記第２放電レベルは、上記第１放電レベルと異なる大きさを有する。
本発明の他の実施形態によれば、ＯＰアンプ３３２、３３６はデータラインＤ１〜Ｄ６が、所定電圧を有するようにそれぞれ所定電流を出力する。
【００４７】
次いで、上記放電時間中の第２サブ放電時間の間スイッチＳＷ１、ＳＷ３、ＳＷ５、ＳＷ７、ＳＷ９、ＳＷ１１、ＳＷ１４、ＳＷ１５はターン−オフ、他のスイッチＳＷ２、ＳＷ４、ＳＷ６、ＳＷ８、ＳＷ１０、ＳＷ１２、ＳＷ１３は、ターン−オンされる。その結果、データラインＤ１〜Ｄ６は、図３（ｂ）で示されるように、一定勾配を有する放電電圧まで放電される。この場合、データラインＤ１〜Ｄ３に充電された上記第１放電レベルに対応する電荷と、データラインＤ４〜Ｄ６に充電された上記第２放電レベルに対応する電荷とが、混合される時間を充分に確保するために、上記第２サブ放電時間に対応する抵抗ＲＤ２の第２抵抗値は、上記第１サブ放電時間に対応する抵抗ＲＤ１の第１抵抗値より大きく設定する。
【００４８】
また、本発明の他の実施形態に係る発光素子では、データラインＤ１〜Ｄ６が、図３（ｂ）で示されるような放電電圧を速やかに持たせるために、上記第２抵抗値をスイッチＳＷ１３に近接するほど、小さく設定する。
要するに、データラインＤ１〜Ｄ６は、図３（ｂ）で示されるように、順次的な（連続する）大きさの放電電圧まで放電される。
但し、上の場合には、第６１カソード電圧ＶＣ６１が、第１１カソード電圧ＶＣ１１より大きいので、上記第２放電レベルを上記第１放電レベルより大きく設定する。
【００４９】
以下、第６１ピクセルＥ６１と第１１ピクセルＥ１１が、同じ輝度で発光するようにプリセットされていると仮定する。即ち、第１データラインＤ１と第６データラインＤ６に、同じ大きさのデータ電流Ｉ１１、Ｉ６１が、第１発光時間ｔ１の間、供給される。
この場合、第６１カソード電圧ＶＣ６１が第１１カソード電圧ＶＣ１１より大きいため、第６データラインＤ６が、図４（ｄ）で示されるように、第１放電時間ｄｃｈａ１の間、第１データラインＤ１より大きい放電電圧まで放電され、それで、第６データラインＤ６が、第１データラインＤ１より大きいプリチャージ電圧までプリチャージされる。
【００５０】
次いで、第１スキャンラインＳ１が接地に接続され、他のスキャンラインＳ２〜Ｓ４は、上記非発光源に接続される。その後、第１表示データに対応する同じ大きさのデータ電流Ｉ１１、Ｉ６１が、第１データラインＤ１と第６データラインＤ６にそれぞれ供給される。この場合、ピクセルＥ１１〜Ｅ６１が、同じ輝度で発光するようにプリセットされているので、ピクセルＥ１１、Ｅ６１のアノード電圧ＶＡ１１、ＶＡ６１は、上記プリチャージ電圧から、該当カソード電圧ＶＣ１１、ＶＣ６１より所定レベル差を有する電圧まで上昇された後、安定化される。
【００５１】
なぜならば、ピクセルがそのアノード電圧とそのカソード電圧との差に対応する輝度で発光するからである。例えば、ピクセルＥ１１のカソード電圧ＶＣ１１が１Ｖで、ピクセルＥ６１のカソード電圧ＶＣ６１が２Ｖであれば、ピクセルＥ１１のアノード電圧ＶＡ１１が、６Ｖで安定化されるとき、ピクセルＥ６１のアノード電圧ＶＡ６１は、７Ｖで安定化される。この場合、データラインＤ６が、データラインＤ１より高いプリチャージ電圧までプリチャージされているで、ピクセルＥ１１のアノード電圧ＶＡ１１は、第１プリチャージ電圧、例えば、３Ｖから６Ｖまで上昇した後、安定化され、ピクセルＥ６１のアノード電圧ＶＡ６１は上記第１プリチャージ電圧より高い第２プリチャージ電圧、例えば、４Ｖから７Ｖまで上昇した後、安定化される。
【００５２】
即ち、ピクセルＥ１１、Ｅ６１のアノード電圧ＶＡ１１、ＶＡ６１は、図４（ｄ）で示されるように、同じ上昇幅、即ち、３Ｖほど上昇した後安定化される。従って、ピクセルＥ６１のアノード電圧ＶＡ６１が安定化されるまで消耗される電荷量は、ピクセルＥ１１のアノード電圧ＶＡ１１が安定化されるまで消耗される電荷量と実質的に同一である。従って、ピクセルＥ１１、Ｅ６１が同じ輝度で発光するようにプリセットされた場合、ピクセルＥ６１は、ピクセルＥ１１の輝度ＶＡ１１−ＶＣ１１と、同じ輝度ＶＡ６１−ＶＣ６１を有する。従って、ピクセルＥ１１、Ｅ６１は、同じ輝度で発光する。
【００５３】
以下、上記発光素子駆動過程を説明する。
スイッチＳＷ１、ＳＷ３、ＳＷ５、ＳＷ７、ＳＷ９、ＳＷ１１、ＳＷ１４、ＳＷ１５がターン-オン、他のスイッチＳＷ２、ＳＷ４、ＳＷ６、ＳＷ８、ＳＷ１０、ＳＷ１２、ＳＷ１３は、ターン−オフされる。また、スキャンラインＳ１〜Ｓ４が、上記非発光源に接続される。
【００５４】
続いて、第１サブ放電部３２０は、データラインＤ１〜Ｄ３に所定電圧を供給し、データラインＤ１〜Ｄ３を第３放電レベルまで放電し、第２サブ放電部３２２は、データラインＤ４〜Ｄ６に所定電圧を供給し、データラインＤ４〜Ｄ６を第４放電レベルまで放電する。
【００５５】
次いで、スイッチＳＷ１、ＳＷ３、ＳＷ５、ＳＷ７、ＳＷ９、ＳＷ１１、ＳＷ１４、ＳＷ１５がターン−オフ、他のスイッチＳＷ２、ＳＷ４、ＳＷ６、ＳＷ８、ＳＷ１０、ＳＷ１２、ＳＷ１３は、ターン−オンされる。その結果、データラインＤ１〜Ｄ６が互いに接続され、それで、データラインＤ１〜Ｄ６が、所定勾配を有する放電電圧まで放電される。但し、この場合、第１２カソード電圧ＶＣ１２が、第６２カソード電圧ＶＣ６２より大きいので、上記第３放電レベルが上記第４放電レベルより大きく設定される。従って、ピクセルＥ６２からピクセルＥ１２方向に行くほど、データラインＤ１〜Ｄ６の放電電圧が大きくなる。
【００５６】
以下、ピクセルＥ１１と、ピクセルＥ１２に対応する放電電圧を比較する。
第１２ピクセルＥ１２のカソード電圧ＶＣ１２が、第１１ピクセルＥ１１のカソード電圧ＶＣ１１より大きいので、第１データラインＤ１は、図４（ｃ）で示されるように、第１放電時間ｄｃｈａ１が、第２放電時間ｄｃｈａ２間より高い放電電圧まで放電される。
次いで、第２表示データに対応するプリチャージ電流が、データラインＤ１〜Ｄ６に供給される。ここで、上記第２表示データは、上記第１表示データが制御部３０２に入力された後、入力されるデータである。
【００５７】
続いて、第２スキャンラインＳ２が、上記接地に接続され、他のスキャンラインＳ１、Ｓ３、Ｓ４が、上記非発光源に接続される。
次いで、上記第２表示データに対応するデータ電流Ｉ１２〜Ｉ６２が、データラインＤ１〜Ｄ６に供給される。
【００５８】
この場合、ピクセルＥ１２のカソード電圧ＶＣ１２が、ピクセルＥ１１のカソード電圧ＶＣ１１より大きいにもかかわらず、ピクセルＥ１２に対応するプリチャージ電圧が、ピクセルＥ１１に対応するプリチャージ電圧より大きいため、ピクセルＥ１２のアノード電圧ＶＡ１２が安定化されるまで消耗される電荷量は、図４（ｃ）で示されるように、ピクセルＥ１１のアノード電圧ＶＡ１１が安定化されるまで消耗される電荷量と、実質的に同一である。従って、ピクセルＥ１２とピクセルＥ１１が同じ輝度で発光するようにプリセットされた場合、ピクセルＥ１２は、ピクセルＥ１１の輝度ＶＡ１１−ＶＣ１１と実質的に同じ大きさの輝度ＶＡ１２−ＶＣ１２で発光する。
【００５９】
本発明の発光素子駆動方法では、従来の発光素子駆動方法と違って、データラインの放電電圧及びプリチャージ電圧が、該当ピクセルのカソード電圧によって変わる。従って、ピクセルが、同じ輝度で発光するようにプリセットされた場合、上記ピクセルは、そのカソード電圧に関係なく同じ輝度で発光する。
要するに、本発明の発光素子に含まれたパネル３００には、クロストーク現像及びくし形パターンが生じない。
【００６０】
図５は、本発明の好ましい第２の実施形態に係る発光素子を示したブロック図、図６は図５の発光素子を示した回路図である。
図５に示すように、本発明の発光素子は、パネル５００、制御部５０２、第１スキャン駆動部５０４、第２スキャン駆動部５０６、放電部５０８、プリチャージ部５１０及びデータ駆動部５１２を含む。
放電部５０８を除いた他の構成要素は、第１の実施形態の構成要素と同じ機能を果たすので、以下説明を省略する。
【００６１】
放電部５０８は、第１サブ放電部５２０、第２サブ放電部５２２及び第３サブ放電部５２４を含む。
第１サブ放電部５２０は、データラインＤ１〜Ｄ６を所定放電電圧まで同一に放電する。例えば、第１サブ放電部５２０は、図５で示されるように、その内部に含まれたツェナーダイオードを利用して、ツェナーダイオードのツェナー電圧までデータラインＤ１〜Ｄ６を放電する。
【００６２】
第２及び３サブ放電部５２２、５２４は、ピクセルＥ１１〜Ｅ６４のカソード電圧を補償する。
例えば、第２、３サブ放電部５２２、５２４は、図６で示されるように、スイッチＳＷ１５、ＳＷ１６、ＤＡＣ５３０、５３４及びＯＰアンプ５３２、５３６を含み、これらの動作は、第１の実施形態と同一なので、以下では、その説明を省略する。
【００６３】
以下、第１の実施形態の発光素子と、第２の実施形態の発光素子を比較する。
上記第１の実施形態では、ＯＰアンプ３３２、３３６から出力される電流のみを利用してカソード電圧ＶＣ１１〜ＶＣ６４を補償したので、消費電力が大きい。しかし、上記第２の実施形態では、ツェナーダイオードを利用してデータラインＤ１〜Ｄ６を所定放電電圧まで放電させた後、ＯＰアンプ５３２、５３６を利用してカソード電圧ＶＣ１１〜ＶＣ６４を補償するので、上記第２の実施形態の発光素子が上記第１の実施形態の発光素子より消費電力が低い。
【００６４】
図７は、本発明の好ましい第３の実施形態に係る発光素子を示したブロック図である。
図７を参照すれば、本発明の発光素子はパネル７００、制御部７０２、スキャン駆動部７０４、放電部７０６、プリチャージ部７０８及びデータ駆動部７１０を含む。上記発光素子の構成要素は、上記第１の実施形態の構成要素と類似の機能を遂行するので、以下説明を省略する。
【００６５】
第３の実施形態の発光素子では、スキャン駆動部が両方向で形成される他の実施形態と違って、スキャン駆動部７０４が図７で示されるように、パネル７００の一方向に形成される。
【００６６】
以上で説明した本発明は、例示の目的のために開示されたものであり、本発明に対する通常の知識を有した当業者であるならば、本発明の思想と範囲内で様々な修正、変更、付加が可能である。従って、このような修正、変更及び付加は、本発明の特許請求の範囲に属するものである。
【図面の簡単な説明】
【００６７】
【図１】従来の発光素子を示すブロック図である。
【図２ａ】図１の発光素子を、概略的に示した回路図である。
【図２ｂ】図１の発光素子を、概略的に示した回路図である。
【図２ｃ】図１の発光素子の駆動過程を示したタイミングダイヤグラムである。
【図２ｄ】図１の発光素子の駆動過程を示したタイミングダイヤグラムである。
【図３ａ】本発明の好ましい第１の実施形態に係る発光素子を示したブロック図である。
【図３ｂ】図３a図の放電部の動作に係る放電レベルグラフを示した図である。
【図４ａ】図３ａの発光素子を、概略的に示した回路図である。
【図４ｂ】図３ａの発光素子を、概略的に示した回路図である。
【図４ｃ】図３ａの発光素子の駆動過程を示したタイミングダイヤグラムである。
【図４ｄ】図３ａの発光素子の駆動過程を示したタイミングダイヤグラムである。
【図５】本発明の好ましい第２の実施形態に係る発光素子を示したブロック図である。
【図６】図５の発光素子を示した回路図である。
【図７】本発明の好ましい第３の実施形態に係る発光素子を示したブロック図である。
【符号の説明】
【００６８】
３００  パネル
３０２  制御部
３０４  第１スキャン駆動部
３０６  第２スキャン駆動部
３０８  放電部
３１０  プリチャージ部
３１２  データ駆動部
３２０  第１サブ放電部
３２２  第２サブ放電部
３２４  放電レベル部
Ｄ１〜Ｄ６  データライン
Ｅ１１〜Ｅ６４  ピクセル
ＲＤ１〜ＲＤ２  抵抗
Ｓ１〜Ｓ４  スキャンライン
ＳＷ１〜ＳＷ１３  スイッチ
【図１】
2007298936.tif 000003
【図２ａ】
2007298936.tif 000004
【図２ｂ】
2007298936.tif 000005
【図２ｃ】
2007298936.tif 000006
【図２ｄ】
2007298936.tif 000007
【図３ａ】
2007298936.tif 000008
【図３ｂ】
2007298936.tif 000009
【図４ａ】
2007298936.tif 000010
【図４ｂ】
2007298936.tif 000011
【図４ｃ】
2007298936.tif 000012
【図４ｄ】
2007298936.tif 000013
【図５】
2007298936.tif 000014
【図６】
2007298936.tif 000015
【図７】
2007298936.tif 000016